(57)【要約】【課題】３種類以上の色を区別して表示することのできる情報表示用パネルを提供する。【解決手段】情報表示用パネルは、基板１、２間に形成された複数のセル１０内に封入される表示媒体３の色の種類を３種類以上とし、色の異なる少なくとも２種類の表示媒体３Ａ、３Ｂは、同極性で、かつ、相互に電界閾値が異なる帯電特性を有し、外部から付与する電界の強さより低い電界閾値を有する表示媒体だけを選択的に移動させることにより前記情報を表示するよう構成される。【選択図】図１
2007140110.tif 000002
【特許請求の範囲】
【請求項１】
少なくとも一方が透明な対向する２枚の基板間に形成された複数のセル内に、表示媒体を封入し、基板の外部から表示媒体に電界を付与することによって、表示媒体を移動させて画像等の情報を表示する情報表示用パネルにおいて、
前記基板間に封入される表示媒体の色の種類を３種類以上とし、色の異なる少なくとも２種類の表示媒体は、同極性で、かつ、相互に電界閾値が異なる帯電特性を有し、外部から付与する電界の強さより低い電界閾値を有する表示媒体だけを選択的に移動させることにより前記情報を表示するよう構成してなる情報表示用パネル。
【請求項２】
前記セル内に封入される色の異なる表示媒体の少なくとも２種類は、異なる極性の帯電特性を有し、帯電極性の異なる表示媒体の一方を、付与する電界の向きに応じて定まる側の基板に向けて移動させ、他方の表示媒体を、反対側の基板に向けて移動させることにより前記情報を表示するよう構成してなる請求項１に記載の情報表示用パネル。
【請求項３】
表示媒体の帯電量を異ならせることにより、前記電界閾値を異ならせる請求項１もしくは２に記載の情報表示用パネル。
【請求項４】
表示媒体の材料として配合する荷電制御剤の量および種類の少なくとも一方を異ならせることにより、表示媒体の帯電量を異ならせてなる請求項３に記載の情報表示用パネル。
【請求項５】
前記セル内に封入される同極性の帯電特性を有する表示媒体の色を、２〜３種類としてなる請求項１〜４のいずれかに記載の情報表示用パネル。
【請求項６】
請求項１〜５のいずれかに記載の情報表示用パネルと、この情報表示用パネルの表示面にタッチすることにより、前記表示媒体に電界を付与するよう構成されてなるタッチペン式の電界形成手段とを具えてなる情報表示装置。
【発明の詳細な説明】
【技術分野】
【０００１】
本発明は、少なくとも一方が透明な対向する２枚の基板間に、表示媒体を封入し、表示媒体に電界を付与することによって、表示媒体を移動させて画像等の情報を表示する情報表示用パネル、およびこのパネルを用いた情報表示装置に関する。
【背景技術】
【０００２】
従来から、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、表示を書き換える際の安定性に欠けるという問題もある。
【０００６】
上述した種々の問題を解決するための一方法として、少なくとも一方が透明な対向する２枚の基板間に、少なくとも１種類以上の粒子から構成される光学的反射率および帯電性を有する少なくとも１種類以上の表示媒体を封入し、表示媒体に電界を付与することによって、表示媒体を移動させて情報を表示する情報表示用パネルが知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
上述した構成の情報表示用パネルは、従来、このパネルを構成するセルの２枚の基板間に、色の異なる２種類の表示媒体を封入し、極性の異なる表示媒体の一方を、付与する電界の向きに応じて定まる側の基板に向けて移動させ、他方の表示媒体を、反対側の基板に向けて移動させることにより前記情報を表示するよう構成されているため、２種類の色を表示することはできても、３種類以上の色を区別して表示することができず、表示する情報の質および量が制限され、この点においての改良が求められていた。
【０００８】
本発明は、このような問題に鑑みてなされたものであり、３種類以上の色を区別して表示することのできる情報表示用パネル、およびこのパネルを用いた情報表示装置を提供することを目的とする。
【課題を解決するための手段】
【０００９】
＜１＞は、少なくとも一方が透明な対向する２枚の基板間に形成された複数のセル内に、表示媒体を封入し、基板の外部から表示媒体に電界を付与することによって、表示媒体を移動させて画像等の情報を表示する情報表示用パネルにおいて、
前記基板間に封入される表示媒体の色の種類を３種類以上とし、色の異なる少なくとも２種類の表示媒体は、同極性で、かつ、相互に電界閾値が異なる帯電特性を有し、外部から付与する電界の強さより低い電界閾値を有する表示媒体だけを選択的に移動させることにより前記情報を表示するよう構成してなる情報表示用パネルである。
【００１０】
＜２＞は、＜１＞において、前記セル内に封入される色の異なる表示媒体の少なくとも２種類は、異なる極性の帯電特性を有し、帯電極性の異なる表示媒体の一方を、付与する電界の向きに応じて定まる側の基板に向けて移動させ、他方の表示媒体を、反対側の基板に向けて移動させることにより前記情報を表示するよう構成してなる請求項１に記載の情報表示用パネルである。
【００１１】
＜３＞は、＜１＞もしくは＜２＞において、表示媒体の帯電量を異ならせることにより、前記電界閾値を異ならせる請求項１もしくは２に記載の情報表示用パネルである。
【００１２】
＜４＞は、＜３＞において、表示媒体の材料として配合する荷電制御剤の量および種類の少なくとも一方を異ならせることにより、表示媒体の帯電量を異ならせてなる請求項３に記載の情報表示用パネルである。
【００１３】
＜５＞は、＜１＞〜＜４＞のいずれかにおいて、前記セル内に封入される同極性の帯電特性を有する表示媒体の色を、２〜３種類としてなる情報表示用パネルである。
【００１４】
＜６＞は、＜１＞〜＜５＞のいずれかの情報表示用パネルと、この情報表示用パネルの表示面にタッチすることにより、前記表示媒体に電界を付与するよう構成されてなる情報表示装置である。
【発明の効果】
【００１５】
＜１＞によれば、セル内に封入される表示媒体の色の種類を３種類以上とし、色の異なる少なくとも２種類の表示媒体は、同極性で、かつ、相互に電界閾値が異なる帯電特性を有するよう構成したので、詳細を後述するように、２種類の表示媒体の電界閾値のうち、高い方の電界閾値より低い電界を外部から付加したときと、この電界閾値より高い電界を付加したときとで、表示色を変えることができ、このことを利用して３種類以上の表示色を表現することができる。
【００１６】
＜２＞によれば、セル内に封入される色の異なる表示媒体の少なくとも２種類は、異なる極性の帯電特性を有するよう構成したので、電界の向きを変えることによっても表示色を変えることができ、より多くの種類の色表示を行うことができる。
【００１７】
＜３＞によれば、表示媒体の帯電量を異ならせることにより、前記電界閾値を異ならせるので所定の電界閾値を有する表示媒体を容易に作成することができる。
【００１８】
＜４＞によれば、表示媒体の材料として配合する荷電制御剤の量および種類の少なくとも一方を異ならせるので、表示媒体の帯電量を容易に異ならせることができる。
【００１９】
＜５＞によれば、セル内に封入される同極性の帯電特性を有する表示媒体の色を２〜３種類とするものであり、これを２種類未満とした場合には、表示色の種類が十分でない場合も発生し、また、この種類の数を３を越える物とした場合には、それらの表示媒体の電界閾値同士が近づきすぎ、安定的に表示色を変更することが難しくなる。
【００２０】
＜６＞によれば、上述の情報表示用パネルと、この情報表示用パネルの表示面にタッチすることにより、前記表示媒体に電界を付与するよう構成されているので、簡易に情報表示装置を構成することができ、しかも、電界形成手段がタッチペン式であるので、人の操作によって容易に表示を書き換えることができる。
【発明を実施するための最良の形態】
【００２１】
本発明の対象となる情報表示用パネルでは、対向する２枚の基板間に形成された複数のセル内に封入した表示媒体に電界が付与される。付与された電界方向にそって、帯電した表示媒体が電界による力やクーロン力などによって引き寄せられ、電位の切替による電界方向の変化によって表示媒体の移動方向が変わることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、基板との電気鏡像力、分子間力、液架橋力、重力などが考えられる。
【００２２】
本発明に係る実施形態の情報表示用パネルを、図を参照して説明する。図１〜図３は、第一の実施形態の情報表示用パネルを構成する単位セルを、それぞれ、相互に異なる色を表示している状態を示す概念断面図であり、セル１０は、背面側基板１と、表示面側透明基板２と、これらの基板１、２間に例えば格子状に設けられた隔壁４とによって区画されて形成され、少なくとも１種類以上の粒子より構成され色および帯電特性のいずれもが相互に異なる３種類以上の表示媒体３（ここでは第1色の表示媒体用粒子３Ａａの粒子群からなる第1色表示媒体３Ａ、第２色の表示媒体用粒子３Ｂａの粒子群からなる第２色表示媒体３Ｂ、第３色の表示媒体用粒子３Ｃａの粒子群からなる第３色表示媒体３Ｃ）を封入して構成される。なお、本発明においては、電界を付与するための電界形成手段はセル１０には設けられておらず、外部から電界形成手段を用いて電界を付与することを前提とする。
【００２３】
ここで、本明細書において、「表示媒体の色」とは、光学的反射率のスペクトルに一対一に対応する特性であり、したがって、異なる色の表示媒体とは、これらの表示媒体が相互に異なる光学的反射率スペクトルを有することを意味しており、例えば、明度が異なるだけでも色が異なるものとして表現される。また、上記、第１色、第２色、第３色の例としては、例えば、白色、赤色、黒色をこの順に対応させることができる。
【００２４】
また、帯電特性とは、正負で表される帯電極性と、電界閾値とを組み合わせた特性であり、また、表示媒体の電界閾値とは、この表示媒体の粒子を移動させるに必要な最低限の電界強度として定義される。この電界閾値は、表示媒体の粒子の電荷に依存するので粒子の電荷量を制御して表示媒体の帯電量を調整することにより、所定の電界閾値を具えさせるのが好ましい。また、この電界閾値は、厳密には、付与する電界の方向に依存するが、その依存性は小さいので、以下の説明では、これが電界の方向に依存しないものとして扱う。
【００２５】
色の異なる３種類以上の表示媒体３のうち少なくとも２種類は、同じ帯電極性を有するとともに異なる電界閾値を有し、さらには、３種類以上の表示媒体のうち、少なくとも２種類は、帯電極性の異なるのが好ましく、例えば、表１に示す通りであり、表１は、例えば第１色は、正に帯電しており、その電界閾値はa1であることを表している。
【００２６】
なお、表１において、電界閾値は、式（１）の関係を有し、第１色の表示媒体は第２色の表示媒体より低い電界閾値を有する。また、b1の大きさは、a1、a2に対して無関係に定めることができる。
a1<a2                                              （１）
【００２７】
【表１】
2007140110.tif 000003
【００２８】
このような表示媒体３Ａ、３Ｂ、３Ｃを用いて、３種類の色を表示するために付加すべき電界の向きおよび電界、そして、このときの表示媒体の状態を示す図番を、表２に示した。表２においては、例えば、表示色Ｂ、すなわち、第１色と第２色との混合色は、図２に示すように、向きがD1で、強度がx2の電界を付与することによって表示することができることを意味している。
【００２９】
ここで、図および表２において、電界の向きD1は、正に帯電した表示媒体（この例の場合は、第１色と第２色）を表示面側透明基板１に移動させる電界の向きを表し、電界の向きD2は、D1と反対の向きを表す。また、電界強度は、式（２）、（３）の関係を有する。
a1<x1<a2<x2                                          （２）
b1<y1                                                （３）
【００３０】
【表２】
2007140110.tif 000004
【００３１】
また、上記の表示色を変更する際、例えば、表示色Ｂから表示色Ａに変化させる際には、前の表示色の履歴が残らないよう、図４に示すように、すべての表示媒体が基板１から離隔させて一旦表示を消去させたあと新たな表示色に出現させるのが好ましく、消去させるための方法として、図５に示すような減衰交番電界を加えることで実現することができる。
【００３２】
上記のようなセル１０に電界を付与する方法としては、電子写真の用途で用いられている静電潜像をパネル基板上に形成する方法、イオンフローによりパネル基板上に電荷を形成する方法、外部電極間にパネルを装着配置して外部電極によって電界を形成する方法、図１、２に示すようにタッチペン式電子入力装置８を用いる方法などをあげることができる。
【００３３】
ここで、上記のような情報表示パネルと、その表示媒体に電界を付与する電界形成手段として機能するタッチペン式電圧入力装置８とを組み合わせることにより、人の操作によって簡易に表示を書き換えることのできる情報表示装置を構成することができる。
以下にその使い方を例示する。第１実施形態における第１色、第２色、第３色をそれぞれこの順に、白色、赤色、黒色として、第１実施形態の情報パネルに対して、例えば、イオンフローによる電荷照射によって、情報表示パネルに表示したいパターンの電界を形成して、白色表示セルと黒色表示セルとによる、例えば、白色背景に黒文字を描いた白黒パターンを表示する。このようなパターンは、表２に従って、白色表示セルには、強度がx1で向きがD1の電界を付与し、黒色表示セルには、強度がy1で向きがD2の電界を付与することにより形成することができる。
続いて、タッチペン式電圧入力装置８に、強度がx2で向きがD1の電界に対応する電圧をかけておき、タッチペン式電圧入力装置８のタッチペンで白色背景を形成している白色表示セルの表示面をタッチすることにより、白色表示セルに、強度がx2で向きがD1の電界を付与して、図２に示すようにその中の赤色の表示媒体３Ｂを表示面側に移動させて、白色と赤色との混合色となるピンク色の表示を行うことができ、このことによって、例えば、黒文字の下の白色背景部分にピン色のアンダーラインを引くことができる。
【００３４】
また、以下のような使い方もできる。タッチペン式電圧入力装置８を、入力する電圧を変えることができるように構成し、例えば、まず、図１に示すように、これに小さな電圧を入力して小さな電界を形成し電界閾値の低い表示媒体３Ａを、タッチした基板１の面に移動させ、次に図２に示すように、大きな電圧を入力して大きな電界を形成し電界閾値の高い表示媒体３Ｂも、タッチした基板１の面に移動させる。他の電界形成手段を用いる場合にも同様の手順によって、多色での表示を行うことができる。
【００３５】
図６〜１０は、第二の実施形態の情報表示用パネルを構成する単位セルを、それぞれ、相互に異なる色を表示している状態を示す概念断面図であり、セル２０は、背面側基板１と、表示面側透明基板２と、これらの基板１、２間に例えば格子状に設けられた隔壁４とによって区画されて形成され、少なくとも１種類以上の粒子より構成され色および帯電特性のいずれもが相互に異なる５種類の表示媒体３（ここでは第1色の表示媒体用粒子３Ａａの粒子群からなる第1色表示媒体３Ａ、第２色の表示媒体用粒子３Ｂａの粒子群からなる第２色表示媒体３Ｂ、第３色の表示媒体用粒子３Ｃａの粒子群からなる第３色表示媒体３Ｃ、第４色の表示媒体用粒子３Ｄａの粒子群からなる第４色表示媒体３Ｄ、第５色の表示媒体用粒子３Ｅａの粒子群からなる第５色表示媒体３Ｅ）を封入して構成される。
【００３６】
ここで、上記、第１〜５色の例としては、例えば、白色、赤色、黒色、黄色、緑色をこの順に対応させることができる。
【００３７】
表３は、第二実施形態の情報表示用パネルにおける表示媒体の帯電特性を、表１と同様の様式で示すものであり、表３において、これらの表示媒体の電界閾値は、式（４）および式（５）の関係を有し、a1、a2、a3の組内の大小関係と、b1、b2の組内の大小関係とは、この形態においては必須要件であるが、b1、b2の組と、a1、a2、a3の組との組同士の大小は無関係に定めることができる。
a1<a2<a3                                              （４）
b1<b2                                                  （５）
【００３８】
【表３】
2007140110.tif 000005
【００３９】
このような表示媒体３Ａ、３Ｂ、３Ｃ、３Ｄ、３Ｅを用いて、５種類の色を表示するために付加すべき電界の向きおよび電界と、このときの表示媒体の状態を示す図番とを、表２と同じ形式で表４に示した。
【００４０】
ここで、表４における、電界の向きD1は、正に帯電した表示媒体（この例の場合は、第１色、第２色、および第４色）を表示面側透明基板１に移動させる電界の向きを表し、電界の向きD2は、D1と反対の向きを表す。また、電界強度は、式（６）、（７）の関係を有する。
a1<x1<a2<x2<a3<x3                                          （６）
b1<y1<b2<y2                                                （７）
【００４１】
【表４】
2007140110.tif 000006
【００４２】
上記の表示色を変更する際には、先に説明したように、前の表示色の履歴が残らないよう、図１１に示すように、すべての表示媒体が基板１から離隔させて一旦表示を消去させたあと新たな表示色に出現させるのが好ましく、消去させるための方法として、先に図５に示したような減衰交番電界を加えることで実現することができる。
【００４３】
また、図１１に二つのセル２０を並べて例示したように、基板１、２の間には複数のセル２０が隔壁によって区画されて形成されている。これらのセル２０に電界を付与する方法としては、先に説明したように、電子写真の用途で用いられている静電潜像をパネル基板上に形成する方法、イオンフローによりパネル基板上に電荷を形成する方法、外部電極間にパネル装着配置して外部電極によって電界を形成する方法、先に詳細を説明したタッチペン式電子入力装置８を用いる方法などをあげることができる。
【００４４】
以下、本発明の情報表示用パネルを構成する各部材について説明する。
【００４５】
基板については、少なくとも一方の基板はパネル外側から表示媒体３の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００４６】
基板に設ける隔壁４については、その形状は表示にかかわる表示媒体の種類等により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図１２に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００４７】
次に、本発明の情報表示用パネルで表示媒体として例えば用いる粉流体について説明する。なお、本発明の情報表示用パネルで用いる粉流体の名称については、本出願人が「電子粉流体（登録商標）：登録番号4636931」の権利を得ている。
【００４８】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００４９】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００５０】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、低電界下におけるクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００５１】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００５２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００５３】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００５４】
着色剤としては、以下に例示するような、有機または無機の各種、各色の顔料、染料が使用可能である。
【００５５】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５７】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００５８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００５９】
また、本発明の表示媒体用粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００６０】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体移動が可能となる。
【００６１】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００６２】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００６３】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００６４】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出した。
【００６５】
更に、表示媒体用粒子で構成する粒子群や粉流体等の表示媒体を乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば図１において、対向する基板１、基板２に挟まれる部分から、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の載置、情報表示用パネルの組み立てなどを所定湿度環境下にて行い、さらに、外からの湿度侵入を防ぐシール材、シール方法を施すことが肝要である。
【００６６】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【産業上の利用可能性】
【００６７】
本発明の情報表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子値札、電子棚札、電子楽譜、ＲＦ−ＩＤ機器の表示部などに好適に用いられる。
【図面の簡単な説明】
【００６８】
【図１】本発明に係る第一実施形態の情報表示用パネルのセルを、表示色Ａを表示させた状態で示す概念断面図である。
【図２】第一実施形態の情報表示用パネルのセルを、表示色Ｂを表示させた状態で示す概念断面図である。
【図３】第一実施形態の情報表示用パネルのセルを、表示色Ｃを表示させた状態で示す概念断面図である。
【図４】第一実施形態の情報表示用パネルのセルを、すべての表示色を消去した状態で示す概念断面図である。
【図５】表示を消去するための減衰交番電界の時間変化を示すグラフである。
【図６】第二実施形態の情報表示用パネルのセルを、表示色Ａを表示させた状態で示す概念断面図である。
【図７】第二実施形態の情報表示用パネルのセルを、表示色Ｂを表示させた状態で示す概念断面図である。
【図８】第二実施形態の情報表示用パネルのセルを、表示色Ｃを表示させた状態で示す概念断面図である。
【図９】第二実施形態の情報表示用パネルのセルを、表示色Ｄを表示させた状態で示す概念断面図である。
【図１０】第二実施形態の情報表示用パネルのセルを、表示色Ｅを表示させた状態で示す概念断面図である。
【図１１】第二実施形態の情報表示用パネルのセルを、すべての表示色を消去した状態で示す概念断面図である。
【図１２】本発明の情報表示用パネルにおける隔壁の形状の一例を示す図である。
【符号の説明】
【００６９】
１    表示面側透明基板
２    背面側基板
３  表示媒体（粒子群、粉流体）
３Ａ  第一色表示媒体
３Ａａ  第一色表示媒体用粒子
３Ｂ  第二色表示媒体
３Ｂａ  第二色表示媒体用粒子
３Ｃ  第三色表示媒体
３Ｃａ  第三色表示媒体用粒子
３Ｄ  第四色表示媒体
３Ｄａ  第四色表示媒体用粒子
３Ｅ  第五色表示媒体
３Ｅａ  第五色表示媒体用粒子
４    隔壁
８    タッチペン式電圧入力装置
１０、２０  情報表示用パネルのセル
【図１】
2007140110.tif 000007
【図２】
2007140110.tif 000008
【図３】
2007140110.tif 000009
【図４】
2007140110.tif 000010
【図５】
2007140110.tif 000011
【図６】
2007140110.tif 000012
【図７】
2007140110.tif 000013
【図８】
2007140110.tif 000014
【図９】
2007140110.tif 000015
【図１０】
2007140110.tif 000016
【図１１】
2007140110.tif 000017
【図１２】
2007140110.tif 000018